(57)【要約】【課題】録画した番組は全て視聴可能なまま、記録媒体の空き容量を増やして多くの番組を録画することのできるハードディスクレコーダを提供することである。【解決手段】コンテンツの記録位置を管理テーブルを用いて管理するハードディスクレコーダにおいて、ハードディスクに録画されたタイトルのうち、重複するタイトルは１つだけ残して他の重複するタイトルは消去し、消去したタイトルが残されたどのタイトルと同じであるかを前記管理テーブルに記憶し、前記消去したタイトルの再生が指示された場合は、前記管理テーブルを参照し、録画されている同じタイトルを再生する構成とする。【選択図】図１
2007266808.tif 000002
【特許請求の範囲】
【請求項１】
コンテンツの記録位置を管理テーブルを用いて管理するハードディスクレコーダにおいて、
ハードディスクに録画されたタイトルのうち、重複するタイトルは１つだけ残して他の重複するタイトルは消去し、消去したタイトルが残されたどのタイトルと同じであるかを前記管理テーブルに記憶し、
前記消去したタイトルの再生が指示された場合は、前記管理テーブルを参照し、録画されている同じタイトルを再生することを特徴とするハードディスクレコーダ。
【請求項２】
コンテンツの記録位置を管理テーブルを用いて管理する映像音声記録装置において、
記録媒体に録画されたコンテンツのうち、重複するコンテンツは１つだけ残して他の重複するコンテンツは消去し、消去したコンテンツが残されたどのコンテンツと同じであるかを前記管理テーブルに記憶し、
前記消去したコンテンツの再生が指示された場合は、前記管理テーブルを参照し、録画されている同じコンテンツを再生することを特徴とする映像音声記録装置。
【請求項３】
前記消去するコンテンツはタイトル単位であることを特徴とする請求項２記載の映像音声記録装置。
【発明の詳細な説明】
【技術分野】
【０００１】
本発明は、記録媒体にテレビ番組等の映像情報を記録する映像音声記録装置及びハードディスクレコーダに関する。
【背景技術】
【０００２】
家庭で番組の録画に用いられる映像音声記録装置には、ビデオカセットレコーダやＤＶＤ等の光ディスク装置やハードディスクレコーダがある。またこれらの機器を１つの筐体に組み込んだ複合機もあり、例えば、ハードディスクドライブ一体型光ディスク装置がある。
【０００３】
特にハードディスク等の大容量記録媒体を備えた映像音声記録装置においては、その容量を利用して１つ又は複数のチャンネルの放送を連続して録画し続けることに利用されている。これによりユーザはいつでも録画された番組から所望の番組のみを視聴することができ、見逃しがなくなる。しかしながら、多くの不要な番組を記録媒体に保存した状態となり、空き容量に余裕がなくなってしまうことが起こる。従って、効率よく録画することが必要になる。
【０００４】
例えば、特許文献１には、これから視聴する番組と同じタイトルの番組がハードディスクに録画されている場合は、録画番組を自動的に消去する自動消去モードが開示されている。
【０００５】
また特許文献２には、複数の情報源のうち、ファイル名が同じではなくとも、内容が全く同じ場合は１個のみを記録する情報記録装置が開示されている。
【０００６】
また特許文献３には、同一分類コードが付加されるコンテンツは上書きしていくことにより、最も新しく録画されたもののみがハードディスクに保持されるようにする記録装置が開示されている。
【特許文献１】特開２００５−５１４９３号公報
【特許文献２】特開２００４−３４２２７２号公報
【特許文献３】特開２００４−１２８７７９号公報
【発明の開示】
【発明が解決しようとする課題】
【０００７】
特許文献１によれば、見る可能性の低い番組をハードディスクから消去するが、ニュース番組などは同じタイトルであっても内容が異なるので、消去されると困ることもある。
【０００８】
また特許文献２によれば、ユーザが集めた映像データの利便性は向上するが、ユーザが登録や選択などを積極的にしなければ機能しない。
【０００９】
また特許文献３では、放送システムと一体になっており、放送局側の対応が必要になる。
【００１０】
このように、従来は自動で不要なデータを消去しようとすると必要なデータまで消去してしまうおそれがある。一方、手動で不要なデータを消去するには手間が掛かり、使い勝手が悪いという問題がある。
【００１１】
本発明は、録画した番組は全て視聴可能なまま、記録媒体の空き容量を増やして多くの番組を録画することのできる映像音声記録装置及びハードディスクレコーダを提供することを目的とする。
【課題を解決するための手段】
【００１２】
上記目的を達成するために本発明は、コンテンツの記録位置を管理テーブルを用いて管理する映像音声記録装置において、
記録媒体に録画されたコンテンツのうち、重複するコンテンツは１つだけ残して他の重複するコンテンツは消去し、消去したコンテンツが残されたどのコンテンツと同じであるかを前記管理テーブルに記憶し、
前記消去したコンテンツの再生が指示された場合は、前記管理テーブルを参照し、録画されている同じコンテンツを再生することを特徴とする。
【００１３】
この構成によると、記録媒体に記録された重複するコンテンツは１つを残して消去される。
【００１４】
上記の映像音声記録装置において、前記消去するコンテンツをタイトル単位とすることにより、再放送番組を消去することができる。
【００１５】
本発明を具体化すると、コンテンツの記録位置を管理テーブルを用いて管理するハードディスクレコーダにおいて、
ハードディスクに録画されたタイトルのうち、重複するタイトルは１つだけ残して他の重複するタイトルは消去し、消去したタイトルが残されたどのタイトルと同じであるかを前記管理テーブルに記憶し、
前記消去したタイトルの再生が指示された場合は、前記管理テーブルを参照し、録画されている同じタイトルを再生する構成となる。
【発明の効果】
【００１６】
本発明によれば、記録媒体中の重複するコンテンツを消去して管理テーブルを書き換えるので、録画した番組は全て視聴可能なまま、記録媒体の空き容量を増やして多くの番組を録画することができる。
【発明を実施するための最良の形態】
【００１７】
以下、映像音声記録装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。またＨＤＤ一体型光ディスク装置１０は、リモコン１３によって操作可能である。以下では、光ディスクとしてＤＶＤを例に説明する。
【００１８】
ＨＤＤ一体型光ディスク装置１０は、テレビ放送信号を受信するアンテナ１５と、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００１９】
また、制御部２６は、録画した番組は全て視聴可能なまま、記録媒体の空き容量を増やすための制御も行う。以下にこの動作について説明する。
【００２０】
図２は、ＨＤＤ一体型光ディスク装置１０の動作の一例を示すフローチャートである。ステップＳ１０において、制御部２６は記録媒体に重複するコンテンツがあるか否かを判別する。ＨＤＤ内又はＤＶＤ内だけで重複するか否かを判別してもよいし、ＨＤＤとＤＶＤとを合わせた中で重複するか否かを判別してもよい。
【００２１】
コンテンツとは、記録媒体に録画された映像と音声のことである。そしてコンテンツが重複するか否かの判断は、所定単位で映像又は／及び音声を比較することにより行うことができる。所定単位とは、例えば、タイトル単位、チャプター単位、フレーム単位などコンテンツを区切る単位であればよい。ＥＰＧ（電子番組表）を受信できる装置であれば、番組毎にタイトルを付けることが可能であり、ＥＰＧを受信できない装置であってもユーザが設定した時間毎にタイトルを付けることが可能である。
【００２２】
また、映像や音声の比較は、マクロブロック単位で映像を比較するなど従来から提案されている様々な手法を採用することができ、完全に一致していなくても、ほぼ同じであれば重複していると判断する。何故なら、例えば再放送番組であっても画面上の時刻表示の有無が違っていたり、ＣＭが異なっていたりするからである。
【００２３】
この判別によると、例えばコンテンツをタイトル単位やチャプター単位で比較する場合は、再放送番組は重複していると判断される。またコンテンツをフレーム単位で比較する場合は、同じＣＭや同じ場面は重複していると判断される。
【００２４】
なお、ステップＳ１０は再生時以外のタイミングで実行され、例えば録画中であってもよく、その場合例えば１時間毎や番組終了時点で実行すればタイトル単位での重複の判別がしやすい。
【００２５】
ステップＳ１０において重複するコンテンツがあれば、ステップＳ１１へ進んで重複するコンテンツのうち１つだけ残して他の重複するコンテンツは消去する。これにより、再放送番組や同じＣＭなどが消去され、記録媒体の空き容量が増える。なお、コンテンツを比較する単位が小さい程、重複するコンテンツが多くなるので、消去できる量が増えて空き容量も増える。一方、ステップＳ１０において重複するコンテンツがない場合は、処理を終了する。
【００２６】
ステップＳ１１に続いてステップＳ１２へ進んで、管理テーブルを書き換える。管理テーブルはコンテンツの記録位置を記したテーブルであり、例えばメモリ２３に記憶されている。再生時には管理テーブルを参照して記録媒体のどの位置に所望のコンテンツが書き込まれているかを調べる。ここで、管理テーブルの書き換えは、ステップＳ１１で消去したコンテンツの記録位置を、残された同じコンテンツの記録位置に書き換えることで行われる。これにより、消去したコンテンツが残されたどのコンテンツと同じであるかがわかる。
【００２７】
次に、コンテンツの再生について説明する。図３は、ＨＤＤ一体型光ディスク装置１０の動作の一例を示すフローチャートである。まず、ステップＳ２０において何れかのコンテンツの再生指示があったか否かを判別する。ステップＳ２０において再生指示があった場合、ステップＳ２１へ進んで管理テーブルを参照し、再生指示のあったコンテンツの記録位置を調べる。このとき、重複により消去されたコンテンツであっても、その記録位置はステップＳ１２で他の同じコンテンツの記録位置に書き換えられているので、ステップＳ２２へ進んで他の同じコンテンツを再生する。この再生によれば、重複により消去された番組であっても、ユーザは意識せずに同内容の番組を視聴することができる。
【００２８】
上記の実施形態によれば、重複するコンテンツを消去して管理テーブルを書き換えるので、録画した番組は全て視聴可能なまま、記録媒体の空き容量を増やして多くの番組を録画することができる。
【００２９】
以下に、上記の実施形態を更に具体化した実施例を挙げる。例えば、ＨＤＤに１つのチャンネルの放送を連続して録画し続けている場合、１つのタイトルの録画が終わると、ＨＤＤ中にそのタイトルと重複する内容の他のタイトルがあるかを映像を比較して判別する。その結果、再放送などの理由でＨＤＤ中に重複するタイトルがあった場合は、直近に録画した方のタイトルを消去する。そして管理テーブルの消去したタイトルに対応する記録位置を以前に録画した同じタイトルの録画位置に書き換える。
【００３０】
その後、消去したタイトルの再生指示があると、管理テーブルを参照し、再生指示のあったタイトルの記録位置を調べて再生する。このとき通常の再生と同じように再生されるので、ユーザは意識せずに視聴できる。
【産業上の利用可能性】
【００３１】
本発明は、ビデオカセットレコーダやＤＶＤ等の光ディスク装置やハードディスクレコーダなどの映像音声記録装置、又は複数の映像音声記録装置を１つの筐体に組み込んだ複合機、例えばハードディスクドライブ一体型光ディスク装置等に利用することができる。
【図面の簡単な説明】
【００３２】
【図１】ＨＤＤ一体型光ディスク装置の構成及びその周辺機器を示すブロック図である。
【図２】ＨＤＤ一体型光ディスク装置の動作の一例を示すフローチャートである。
【図３】ＨＤＤ一体型光ディスク装置の動作の一例を示すフローチャートである。
【符号の説明】
【００３３】
１０    ＨＤＤ一体型光ディスク装置（映像音声記録装置）
【図１】
2007266808.tif 000003
【図２】
2007266808.tif 000004
【図３】
2007266808.tif 000005